(57)【要約】【課題】本発明は、低コストでシステムを構築できるリサイクル管理システムを提供することを目的とする。【解決手段】本発明のリサイクル管理システムは、リサイクル情報を記憶した不揮発性メモリと、ＷＥＢサーバ手段と、外部バスと接続する接続手段と、不揮発性メモリからリサイクル情報を読み出してＷＥＢサーバ手段に出力する制御手段とを具備するリサイクル対象物と、外部バスと接続する接続手段と、ＷＥＢブラウザ手段とを具備する端末装置とを有する。【選択図】        図２
2005044085.tif 000002
【特許請求の範囲】
【請求項１】
リサイクル情報を記憶した不揮発性メモリと、ＷＥＢサーバ手段と、外部バスと接続する接続手段と、前記不揮発性メモリから前記リサイクル情報を読み出して前記ＷＥＢサーバ手段に出力する制御手段とを具備するリサイクル対象物と、
外部バスと接続する接続手段と、ＷＥＢブラウザ手段とを具備する端末装置と
を有することを特徴とするリサイクル管理システム。
【請求項２】
前記制御手段は、前記ＷＥＢブラウザ手段から入力された前記リサイクル対象物に関する情報を、前記ＷＥＢサーバ手段を介して前記不揮発性メモリに書き込む請求項１記載のリサイクル管理システム。
【請求項３】
前記端末装置は、回収したリサイクル対象物の前記ＷＥＢサーバ手段から前記端末装置の前記ＷＥＢブラウザ手段によりリサイクル情報を抽出するリサイクル情報抽出手段と、前記リサイクル対象物を構成する部品の再利用可能な品質や可能期間を示唆するリサイクル参照情報を記憶したデータベースと、前記リサイクル情報に基づいて前記リサイクル参照情報を参照し、リサイクル部品の対処内容を求める手段とを有する請求項１記載のリサイクル管理システム。
【発明の詳細な説明】
【０００１】
【発明の属する技術分野】
本発明はリサイクル管理システムに関し、詳細には例えばファクシミリ装置、プリンタ、複写機などの電子製品のリサイクルにおける管理システムに関する。
【０００２】
【従来の技術】
【特許文献１】特開２００２−１１７１３４号公報
【特許文献２】特開２００２−１２３６５４号公報
【特許文献３】特開２００２−２７９０４６号公報
最近、家電リサイクルが重要視され、各企業も事業化されている。この家電リサイクル事業では、廃棄家電のリサイクル処理が適正に行われているか否かを管理する必要がある。一方、廃棄家電のリサイクル費用は消費者が負担するために、当該リサイクル費用の支払いを嫌い不法投棄が多くなっている。このため、リサイクル処理対象物の入着から出荷に至るまでの一例の複数の処理を行うために、リサイクル処理対象物に対する製品販売後の履歴管理あるいは製品を特定する情報、修理記録情報や製品保証情報などの情報を記録する方法がいくつか提案されている。
【０００３】
その一つとして、上記特許文献１によれば、製品の履歴情報を不揮発性メモリに書き込み、そして当該履歴情報を読み出して流通経路が適正であるか否かの確認を行い、リサイクル処理を正確に行い、不法投棄を防止し、更に使用限度や残存価値などの諸情報を算出する製品履歴管理方法が提案されている。
【０００４】
また、上記特許文献２では、物品流通情報を記憶するタグを製品に取り付け、当該タグに各種情報を記憶させて出荷し、修理時に修理情報をタグに記憶する。そして、リサイクル時はリサイクル情報に基づいてリサイクル可能か否かを検出して仕分けする。
【０００５】
更に、上記特許文献３は、不揮発性メモリをそれぞれに備えた複数のユニットよりなる製品において、不揮発性メモリをお互いに接続する共通バスを、外部バスに接続する接続手段を備え、回収したときにリサイクル情報を外部から書き込めるようにするリサイクル管理システムである。
【０００６】
【発明が解決しようとする課題】
しかしながら、上記特許文献１では、リサイクルのために不揮発性メモリ、読み書き用の通信手段や専用のツールが必要となり、リサイクル管理システムの構築に多大なコストがかかる。また、上記特許文献２によれば、リサイクルのためにタグを製品に取り付けなければならず製品製造のコストが上がる。更に、上記特許文献３でも、やはり特許文献１と同様に、リサイクルのために不揮発性メモリ、読み書き用の通信手段や専用のツールが必要となり、リサイクル管理システムの構築にコストが多くかかる。
【０００７】
本発明はこれらの問題点を解決するためのものであり、低コストでシステムを構築できるリサイクル管理システムを提供することを目的とする。
【０００８】
【課題を解決するための手段】
前記問題点を解決するために、本発明のリサイクル管理システムは、リサイクル情報を記憶した不揮発性メモリと、ＷＥＢサーバ手段と、外部バスと接続する接続手段と、不揮発性メモリからリサイクル情報を読み出してＷＥＢサーバ手段に出力する制御手段とを具備するリサイクル対象物と、外部バスと接続する接続手段と、ＷＥＢブラウザ手段とを具備する端末装置とを有する。よって、リサイクル管理システムを低コストで実現することができる。
【０００９】
また、制御手段は、ＷＥＢブラウザ手段から入力されたリサイクル対象物に関する情報を、ＷＥＢサーバ手段を介して不揮発性メモリに書き込む。よって、端末装置から不揮発性メモリのリサイクル情報を書き換えることができる。
【００１０】
更に、端末装置は、回収したリサイクル対象物のＷＥＢサーバ手段から端末装置のＷＥＢブラウザ手段によりリサイクル情報を抽出するリサイクル情報抽出手段と、リサイクル対象物を構成する部品の再利用可能な品質や可能期間を示唆するリサイクル参照情報を記憶したデータベースと、リサイクル情報に基づいてリサイクル参照情報を参照し、リサイクル部品の対処内容を求める手段とを有する。よって、リユースの可否とリユースに必要な処理を自動的に検出できる。
【００１１】
【発明の実施の形態】
本発明のリサイクル管理システムでは、リサイクル対象物が具備する不揮発性メモリにリサイクル情報を記憶し、ＷＥＢサーバ手段と接続手段でリサイクル情報を端末装置に出力する。端末装置ではリサイクル情報でリサイクル管理を可能とする。
【００１２】
【実施例】
図１は本発明のリサイクルシステムを適用するシステムの構成を示す概略図である。なお、本発明のリサイクルシステムにおけるリサイクル対象製品の一例として、ＬＡＮに接続されたインターネットファクシミリ装置に関して説明する。同図に示すように、インターネットファクシミリ装置１００は、ＬＡＮ４００に接続され、他のＬＡＮに接続されたインターネットファクシミリ装置とインターネットファクシミリ通信を行う。ＬＡＮ４００には、生産、保守、回収用などのパソコン（以下ＰＣと略す）２００、メールサーバ、リサイクル用データベースを備えたサーバ３００が接続されている。ＰＣ２００にはＷＥＢブラウザ機能を有している。
【００１３】
図２は図１のインターネットファクシミリ装置の構成を示すブロック図である。同図において、インターネットファクシミリ装置１００は、操作部１０１、制御部１０２、記憶部１０３、読取部１０４、記録部１０５、ＮＣＵ１０６、ＬＡＮ接続部１０７を含んで構成され、各構成部はシステムバス１０８を介してそれぞれ接続されている。また、制御部１０２は装置全体を制御する。記憶部１０３にはリサイクル情報記憶用の不揮発性メモリ１０９が備えられている。更に、ＬＡＮ接続部１０７にはＷＥＢサーバ１１０が備えられている。そして、制御部１０２は不揮発性メモリ１０９に記憶したリサイクル情報をＷＥＢサーバ１１０に送り、図１のＰＣ２００のＷＥＢブラウザからリサイクル情報が参照できるように制御する。また、ＰＣ２００のＷＥＢブラウザから書き込みがあると、ＷＥＢサーバ１１０を介して不揮発性メモリ１０９にリサイクル情報を書き込み、及び更新する。
【００１４】
図３は本実施例に係るリサイクル管理システムにおける製品生産時のリサイクル情報の流れを示す図である。同図に示すように、製品生産時、製品生産用のＰＣ２０１はＷＥＢブラウザを介して図２の不揮発性メモリ１０９にリサイクル情報を書き込む。書き込まれるリサイクル情報としては、その製品を構成する各部品固有のＩＤや構成、再使用時の交換部品リストなどを記録する。そして、生産時に製品に書き込んだリサイクル情報を必要に応じて参照データベース５００に書き込み、参照データベースのデータを更新する。
【００１５】
図４は本実施例に係るリサイクル管理システムにおける保守時のリサイクル情報の流れを示す図である。同図に示すように、保守時に部品交換を行った場合には保守用のＰＣ２０２よりＷＥＢブラウザを介して不揮発性メモリ１０９に部品交換の履歴情報を書き込む。
【００１６】
図５は本実施例に係るリサイクル管理システムにおける回収時のリサイクル情報の流れを示す図である。同図に示すように、回収時には、回収用のＰＣ２０３が回収されたネットワーク製品である回収製品６００よりＷＥＢブラウザを介してリサイクル情報を吸い取り、参照データベース５００からのリサイクル参照情報を参照して回収製品６００を構成する部品の内リユース可能な部品とリユース条件などを検出しモニタに表示する。
【００１７】
図６はデータベースのリサイクル参照情報、リサイクル情報、抽出結果の一例を示す図である。同図の（ａ）に示すように、リサイクル参照情報には、該当部品の部品番号、リユース可能な製品品種、リユース可能期間、リユース条件などが記憶される。また、同図の（ｂ）に示すように、リサイクル情報には、その製品を構成する搭載部品リストと各部品の設置日が記録される。更に、同図の（ｃ）に示すように、検出命令を実行すると、リサイクル参照情報とリサイクル情報が比較演算され、その検出結果がＷＥＢブラウザに表示される。検出結果からは、その部品の使用期間、リユース可否判定結果、リユース可能製品品種、リユース条件などが得られる。
【００１８】
なお、上記実施例ではＬＡＮへ接続されたインターネットファクシミリ装置を例として説明したが、無線ＬＡＮ、ダイアルアップなどの通信手段にも適用でき、また通信手段を備えていれば、スキャナ、プリンタ、複写機などにも適用できる。
【００１９】
また、本発明は上記実施例に限定されるものではなく、特許請求の範囲内の記載であれば多種の変形や置換可能であることは言うまでもない。
【００２０】
【発明の効果】
以上説明したように、本発明によれば、本発明のリサイクル管理システムは、リサイクル情報を記憶した不揮発性メモリと、ＷＥＢサーバ手段と、外部バスと接続する接続手段と、不揮発性メモリからリサイクル情報を読み出してＷＥＢサーバ手段に出力する制御手段とを具備するリサイクル対象物と、外部バスと接続する接続手段と、ＷＥＢブラウザ手段とを具備する端末装置とを有する。よって、リサイクル対象物が具備する不揮発性メモリにリサイクル情報を記憶し、ＷＥＢサーバ手段と接続手段でリサイクル情報を端末装置に出力し、端末装置では当該リサイクル情報でリサイクル管理が可能となり、リサイクル管理システムを低コストで実現することができる。
【００２１】
また、制御手段は、ＷＥＢブラウザ手段から入力されたリサイクル対象物に関する情報を、ＷＥＢサーバ手段を介して不揮発性メモリに書き込む。よって、端末装置から不揮発性メモリのリサイクル情報を書き換えることができる。
【００２２】
更に、端末装置は、回収したリサイクル対象物のＷＥＢサーバ手段から端末装置のＷＥＢブラウザ手段によりリサイクル情報を抽出するリサイクル情報抽出手段と、リサイクル対象物を構成する部品の再利用可能な品質や可能期間を示唆するリサイクル参照情報を記憶したデータベースと、リサイクル情報に基づいてリサイクル参照情報を参照し、リサイクル部品の対処内容を求める手段とを有する。よって、リユースの可否とリユースに必要な処理を自動的に検出できる。
【図面の簡単な説明】
【図１】本発明のリサイクルシステムを適用するシステムの構成を示す概略図である。
【図２】図１のインターネットファクシミリ装置の構成を示すブロック図である。
【図３】本実施例に係るリサイクル管理システムにおける製品生産時のリサイクル情報の流れを示す図である。
【図４】本実施例に係るリサイクル管理システムにおける保守時のリサイクル情報の流れを示す図である。
【図５】本実施例に係るリサイクル管理システムにおける回収時のリサイクル情報の流れを示す図である。
【図６】データベースのリサイクル参照情報、リサイクル情報、抽出結果の一例を示す図である。
【符号の説明】
１００；インターネットファクシミリ装置、１０１；操作部、
１０２；制御部、１０３；記憶部、１０４；読取部、１０５；記録部、
１０６；ＮＣＵ、１０７；ＬＡＮ接続部、１０８；システムバス、
１０９；不揮発性メモリ、１１０；ＷＥＢサーバ、２００〜２０３；ＰＣ、
３００；サーバ、４００；ＬＡＮ、５００；参照データベース、
６００；回収製品。
【図１】
2005044085.tif 000003
【図２】
2005044085.tif 000004
【図３】
2005044085.tif 000005
【図４】
2005044085.tif 000006
【図５】
2005044085.tif 000007
【図６】
2005044085.tif 000008